(57)【要約】【課題】  特定領域への入場を高い精度で管理することが可能な入場管理システムおよび入場管理方法を提供する。【解決手段】  招待客を厳重に管理されている部屋へ入室させる場合に、入場管理システムは、事前に招待客へ、招待客認証用のカード２５を発行する。制御部１５は、接客者専用のカード２６を用いた照合後の一定時間の間に招待客が持つカード２５から識別情報を受け付けた場合にのみ、カード２５の識別情報と、記憶部１３が格納している招待客ＩＤ番号とを照合する。制御部１５は、その照合結果が一致を示す場合、電気錠１１を開錠する。【選択図】      図１
2006155507.tif 000002
【特許請求の範囲】
【請求項１】
照合用の識別情報が記録された記録媒体から該識別情報を読み取る読取部と、
特定ユーザを識別するための特定識別情報および所定ユーザを識別するための所定識別情報を格納する格納部と、
前記読取部が前記識別情報を読み取ると、その読み取られた識別情報と前記格納部が格納する特定識別情報とを照合し、その照合結果が一致を示すとともにその後の一定時間以内に前記読取部があらたな識別情報を読み取った場合にはそのあらたな識別情報と前記格納部が格納する所定識別情報とを照合する照合部と、
前記照合部における前記識別情報と前記所定識別情報との照合結果が一致を示す場合に特定領域への入場を許容する入場管理部と、を含む入場管理システム。
【請求項２】
請求項１に記載の入場管理システムにおいて、
前記格納部は、前記所定識別情報を複数種類格納し、
前記照合部は、前記識別情報と前記特定識別情報との照合結果が一致を示すとともにその後の一定時間以内に前記読取部があらたな識別情報を読み取った場合にはそのあらたな識別情報が前記複数種類の所定識別情報のいずれかと一致するか否かを照合し、その照合結果が一致を示すとともにその後の一定時間以内に前記読取部がさらにあらたな識別情報を読み取った場合にはそのさらにあらたな識別情報が前記複数種類の所定識別情報のいずれかと一致するか否かを照合する、入場管理システム。
【請求項３】
請求項１に記載の入場管理システムにおいて、
前記格納部は、前記特定識別情報を複数種類格納し、
前記照合部は、前記読取部が読み取った識別情報が前記複数種類の特定識別情報のいずれかと一致するか否かを照合し、その照合結果が一致を示すとともにその後の一定時間以内に前記読取部があらたな識別情報を読み取った場合にはそのあらたな識別情報と前記格納部が格納する所定識別情報とを照合し、その後、前記読取部がさらにあらたな識別情報を読み取った場合にはそのさらにあらたな識別情報が前記複数種類の特定識別情報のいずれかと一致するか否かを再照合し、
前記入場管理部は、前記再照合の結果が一致を示すと、前記特定領域への入場を一旦許容し、その後、前記特定領域への入場を禁止する、入場管理システム。
【請求項４】
請求項１に記載の入場管理システムにおいて、
前記照合部は、前記読取部が読み取った識別情報と前記特定識別情報とを照合し、その照合結果が一致を示すとともにその後の一定時間以内に前記読取部があらたな識別情報を読み取った場合にはそのあらたな識別情報と前記格納部が格納する所定識別情報とを照合し、その後、前記読取部がさらにあらたな識別情報を読み取った場合にはそのさらにあらたな識別情報が前記格納部に格納されている特定識別情報と一致するか否かを再照合し、
前記入場管理部は、前記再照合の結果が一致を示すと、前記特定領域への入場を一旦許容し、その後、前記特定領域への入場を禁止する、入場管理システム。
【請求項５】
請求項１ないし４のいずれか１項に記載の入場管理システムにおいて、
前記記録媒体は、カード型記録媒体またはＲＦＩＤタグである、入場管理システム。
【請求項６】
請求項１ないし５のいずれか１項に記載の入場管理システムにおいて、
前記入場管理部は、前記特定領域に設けられた戸の電気錠である、入場管理システム。
【請求項７】
特定ユーザを識別するための特定識別情報および所定ユーザを識別するための所定識別情報を格納する格納部を含む入場管理システムが行う入場管理方法であって、
照合用の識別情報が記録された記録媒体から該識別情報を読み取る読取ステップと、
前記識別情報が読み取られると、その読み取られた識別情報と前記格納部が格納する特定識別情報とを照合する第１照合ステップと、
前記第１照合ステップの照合結果が一致を示すとともにその後の一定時間以内にあらたな識別情報が読み取られた場合にはそのあらたな識別情報と前記格納部が格納する所定識別情報とを照合する第２照合ステップと、
前記第２照合ステップの照合結果が前記識別情報と前記所定識別情報との一致を示す場合、特定領域への入場を許容する入場管理ステップと、を含む入場管理方法。
【請求項８】
請求項７に記載の入場管理方法において、
前記格納部は、前記所定識別情報を複数種類格納し、
前記第２照合ステップは、前記第１照合ステップの照合結果が一致を示すとともにその後の一定時間以内にあらたな識別情報が読み取られた場合にはそのあらたな識別情報が前記複数種類の所定識別情報のいずれかと一致するか否かを照合し、その照合結果が一致を示すとともにその後の一定時間以内にさらにあらたな識別情報が読み取られた場合にはそのさらにあらたな識別情報が前記複数種類の所定識別情報のいずれかと一致するか否かを照合する、入場管理方法。
【請求項９】
請求項７に記載の入場管理方法において、
前記格納部は、前記特定識別情報を複数種類格納し、
前記第１照合ステップは、前記読み取られた識別情報が前記複数種類の特定識別情報のいずれかと一致するか否かを照合し、
前記第２照合ステップでの照合の後、あらたに読み取られた識別情報が前記複数種類の特定識別情報のいずれかと一致するか否かを再照合する再照合ステップをさらに含み、
前記入場管理ステップは、前記再照合の結果が一致を示すと、前記特定領域への入場を一旦許容し、その後、前記特定領域への入場を禁止する、入場管理方法。
【請求項１０】
請求項７に記載の入場管理方法において、
前記第２照合ステップでの照合の後、前記読み取られ識別情報が前記特定識別情報と一致するか否かを再照合する再照合ステップをさらに含み、
前記入場管理ステップは、前記再照合の結果が一致を示すと、前記特定領域への入場を一旦許容し、その後、前記特定領域への入場を禁止する、入場管理方法。
【請求項１１】
請求項７ないし１０のいずれか１項に記載の入場管理方法において、
前記記録媒体は、カード型記録媒体またはＲＦＩＤタグである、入場管理方法。
【請求項１２】
請求項７ないし１１のいずれか１項に記載の入場管理方法において、
前記入場管理ステップは、前記特定領域に設けられた戸の電気錠の開閉を制御する、入場管理方法。
【発明の詳細な説明】
【技術分野】
【０００１】
本発明は、入場管理システムおよび入場管理方法に関し、例えば、特定の部屋への招待客の入室を管理する入場管理システムおよび入場管理方法に関する。
【背景技術】
【０００２】
従来の入室管理システムは、例えば、以下のように運用される。
【０００３】
招待客を重要な部屋に入室させる場合、接客者は、招待客用の認証カードを招待客に配布する。入室管理システムは、その招待客用の認証カードを用いて招待客を認証し、招待客が重要な部屋に入室することを許可する。
【０００４】
また、特許文献１（特開２０００−１５５８６３号公報）には、接客者の認証カードを用いて接客者を認証した後、所定時間の間、扉を開け、その間にその扉を通る招待客のＩＤカードから識別情報を読み取り、その読み取った識別情報を記録して入室者を管理する入退室管理システムが記載されている。
【特許文献１】特開２０００−１５５８６３号公報
【発明の開示】
【発明が解決しようとする課題】
【０００５】
特許文献１に記載の入退室管理システムでは、扉が開いている間に、複数の招待客が扉を通過することが可能である。このため、その複数の招待客の中に第三者が潜んでいても、接客者は、その第三者を見逃してしまう可能性がある。
【０００６】
本発明の目的は、特定領域への入場を高い精度で管理することが可能な入場管理システムおよび入場管理方法を提供することである。
【課題を解決するための手段】
【０００７】
上記の目的を達成するために、本発明の入場管理システムは、照合用の識別情報が記録された記録媒体から該識別情報を読み取る読取部と、特定ユーザを識別するための特定識別情報および所定ユーザを識別するための所定識別情報を格納する格納部と、前記読取部が前記識別情報を読み取ると、その読み取られた識別情報と前記格納部が格納する特定識別情報とを照合し、その照合結果が一致を示すとともにその後の一定時間以内に前記読取部があらたな識別情報を読み取った場合にはそのあらたな識別情報と前記格納部が格納する所定識別情報とを照合する照合部と、前記照合部における前記識別情報と前記所定識別情報との照合結果が一致を示す場合に特定領域への入場を許容する入場管理部とを含む。
【０００８】
また、本発明の入場管理方法は、特定ユーザを識別するための特定識別情報および所定ユーザを識別するための所定識別情報を格納する格納部を含む入場管理システムが行う入場管理方法であって、照合用の識別情報が記録された記録媒体から該識別情報を読み取る読取ステップと、前記識別情報が読み取られると、その読み取られた識別情報と前記格納部が格納する特定識別情報とを照合する第１照合ステップと、前記第１照合ステップの照合結果が一致を示すとともにその後の一定時間以内にあらたな識別情報が読み取られた場合にはそのあらたな識別情報と前記格納部が格納する所定識別情報とを照合する第２照合ステップと、前記第２照合ステップの照合結果が前記識別情報と前記所定識別情報との一致を示す場合、特定領域への入場を許容する入場管理ステップとを含む。
【０００９】
上記の発明によれば、読み取られた識別情報が特定識別情報と一致するとともにその後の一定時間以内にあらたな識別情報が読み取られた場合にはそのあらたな識別情報と所定識別情報とが照合され、その照合結果が一致を示す場合、特定領域への入場が許容される。このため、例えば、所定識別情報を記録した記録媒体を使用するユーザは、特定識別情報を記録した記録媒体を使用するユーザとともに行動しないと、特定領域へ入場することができなくなる。また、所定識別情報を用いた照合が行われる。このため、特定領域への入場を高い精度で管理することが可能になる。
【００１０】
また、前記格納部は、前記所定識別情報を複数種類格納し、前記識別情報と前記特定識別情報との照合結果が一致を示すとともにその後の一定時間以内にあらたな識別情報が読み取られた場合にはそのあらたな識別情報が前記複数種類の所定識別情報のいずれかと一致するか否かが照合され、その照合結果が一致を示すとともにその後の一定時間以内にさらにあらたな識別情報を読み取られた場合にはそのさらにあらたな識別情報が前記複数種類の所定識別情報のいずれかと一致するか否かが照合されることが望ましい。
【００１１】
上記の発明によれば、例えば、所定識別情報を記録した記録媒体を使用するユーザが複数存在しても、それらのユーザの特定領域への入場を高い精度で管理することが可能になる。
【００１２】
また、前記格納部は、前記特定識別情報を複数種類格納し、読み取られた識別情報が前記複数種類の特定識別情報のいずれかと一致するか否かが照合され、その照合結果が一致を示すとともにその後の一定時間以内にあらたな識別情報が読み取られた場合にはそのあらたな識別情報と前記格納部が格納する所定識別情報とが照合され、その後、さらにあらたな識別情報が読み取られ場合にはそのさらにあらたな識別情報が前記複数種類の特定識別情報のいずれかと一致するか否かが再照合され、その再照合の結果が一致を示すと、前記特定領域への入場が一旦許容され、その後、前記特定領域への入場が禁止されることが望ましい。
【００１３】
上記の発明によれば、特定識別情報を記録した記録媒体を使用する複数のユーザが、所定識別情報を記録した記録媒体を使用するユーザの特定領域への入場を高い精度で管理することが可能になる。
【００１４】
また、読み取られた識別情報と前記特定識別情報とが照合され、その照合結果が一致を示すとともにその後の一定時間以内にあらたな識別情報が読み取られた場合にはそのあらたな識別情報と前記格納部が格納する所定識別情報とが照合され、その後、さらにあらたな識別情報が読み取られた場合にはそのさらにあらたな識別情報が前記格納部に格納されている特定識別情報と一致するか否かが再照合され、その再照合の結果が一致を示すと、前記特定領域への入場が一旦許容され、その後、前記特定領域への入場が禁止されることが望ましい。
【００１５】
上記の発明によれば、特定識別情報を記録した記録媒体を使用するユーザが１人であっても、その１人のユーザが、所定識別情報を記録した記録媒体を使用するユーザの特定領域への入場を高い精度で管理することが可能になる。
【００１６】
また、前記記録媒体は、カード型記録媒体またはＲＦＩＤタグであることが望ましい。
【００１７】
また、前記識別情報と前記所定識別情報とが一致する場合、前記特定領域に設けられた戸の鍵を開けることが望ましい。
【発明の効果】
【００１８】
本発明によれば、特定領域への入場を高い精度で管理することが可能になる。
【発明を実施するための最良の形態】
【００１９】
以下、本発明の実施例について図面を参照して説明する。
【００２０】
図１は、本発明の一実施例の入場管理システムを示したブロック図である。
【００２１】
図１において、本入場管理システムは、入退室制御部１と、入力部２１と、管理サーバ２２と、管理記憶部２３と、カードインターフェース（カード発行部）２４とを含む。入退室制御部１は、カード入力部１０と、電気錠１１と、時刻／タイマー１２と、記憶部１３と、表示・音声出力部１４と、制御部１５と、ＬＡＮインターフェース１６とを含む。
【００２２】
入退室制御部１は、入場を厳重に管理する部屋に設置される。なお、入場を厳重に管理する部屋が複数ある場合は、入退室制御部１は、その部屋毎に設置される。図１では、入退室制御部１が１つの例が示されている。
【００２３】
入力部２１は、入場管理システムのオペレータの入力を受け付ける。
【００２４】
入力部２１は、例えば、接客者（特定ユーザ）を識別するための接客者ＩＤ番号（特定識別情報）と、その接客者が接客する招待客（所定ユーザ）を識別するための招待客ＩＤ番号（所定識別情報）とを受け付ける。なお、入力部２１は、さらに、その招待客名、招待日時、入室部屋番号を受け付ける。また、入力部２１は、さらに、その招待客が属する会社名およびその招待客の電話番号を受け付けてもよい。
【００２５】
管理サーバ２２は、入退室制御部１が設置されている部屋への入場を管理する。
【００２６】
管理サーバ２２は、入力部２１が、接客者ＩＤ番号、招待客ＩＤ番号、招待客名、招待日時および入室部屋番号を受け付けると、それらを関連づけて管理記憶部（格納部）２３に格納する。
【００２７】
図２は、管理記憶部２３の一例を示した説明図である。
【００２８】
図２において、管理記憶部２３は、接客者ＩＤ番号２３ａ、招待客ＩＤ番号２３ｂ、招待客名２３ｃ、招待日時２３ｄおよび入室部屋番号２３ｅを関連づけて格納する。
【００２９】
なお、入力部２１が、さらに、その招待客が属する会社名およびその招待客の電話番号を受け付ける場合、管理記憶部２３は、それらの情報を接客者ＩＤ番号２３ａと関連づけて格納する。
【００３０】
図１に戻って、カードインターフェース２４は、招待客ＩＤ番号２３ｂが記録されたカード２５を発行する。カード２５は、招待客用のカードであり、招待客に渡される。
【００３１】
カード２５は、照合用の識別情報である招待客ＩＤ番号２３ｂが記録された記録媒体の一例である。カード２５は、例えば、磁気カード、ＩＣカードまたはＲＦＩＤタグ等のカード型記録媒体であり、カード入力部１０の読取方式に応じて適宜変更可能である。
【００３２】
なお、記録媒体２５は、照合用の識別情報である招待客ＩＤ番号２３ｂを記録していればよく、カード型記録媒体に限るものではなく適宜変更可能であり、例えば、ＲＦＩＤタグでもよい。この場合、カード入力部１０の代わりに記録媒体読取部が用いられる。
【００３３】
カード２６は、接客者用のカードであり、接客者によって携帯される。カード２６は、照合用の識別情報である接客者ＩＤ番号２３ａが記録された記録媒体の一例である。カード２６は、例えば、磁気カード、ＩＣカードまたはＲＦＩＤタグ等のカード型記録媒体であり、カード入力部１０の読取方式に応じて適宜変更可能である。なお、記録媒体２６は、照合用の識別情報である接客者ＩＤ番号２３ａを記録していればよく、カード型記録媒体に限るものではない。
【００３４】
カード入力部１０は、読取部の一例である。カード入力部１０は、照合用の識別情報が記録された記録媒体から、その識別情報を読み取る。カード入力部１０は、例えば、カード２６から接客者ＩＤ番号２３ａを読み取り、また、カード２５から招待客ＩＤ番号２３ｂを読み取る。
【００３５】
電気錠１１は、入場管理部の一例であり、入退室制御部１が設置されている部屋のドア（戸）に設けられている。
【００３６】
時刻／タイマー１２は、例えば、日時情報を出力し、また、一定時間を計時する。記憶部１３は、管理記憶部２３が格納している情報を一時的に記憶する。表示・音声出力部１４は、入退室制御部１が設置されている部屋への入場の許可および入場の禁止を表示または音声で出力する。
【００３７】
制御部１５は、入退室制御部１を制御する。ＬＡＮインターフェース１６は、管理サーバ２２とＬＡＮ接続する。なお、複数の入退室制御部１が存在する場合、各入退室制御部１はＬＡＮネットワークにより接続される。制御部１５は、管理サーバ２２とともに照合部２７に含まれる。
【００３８】
照合部２７は、カード入力部１０が読み取った識別情報と管理記憶部２３が格納する接客者ＩＤ番号２３ａとを照合する。照合部２７は、その照合結果が一致を示すとともにその後の一定時間以内にカード入力部１０があらたな識別情報を読み取った場合にはそのあらたな識別情報と管理記憶部２３が格納する招待客ＩＤ番号２３ｂ（具体的には、記憶部１３に転記された招待客ＩＤ番号２３ｂ）とを照合する。
【００３９】
電気錠１１は、その照合結果が一致を示す場合、開錠する。
【００４０】
なお、管理記憶部２３が、複数種類の招待客ＩＤ番号２３ｂを格納している場合、照合部２７は、以下のように動作する。
【００４１】
照合部２７は、カード入力部１０が読み取った識別情報と接客者ＩＤ番号２３ａとの照合結果が一致を示すとともにその後の一定時間以内にカード入力部１０があらたな識別情報を読み取った場合にはそのあらたな識別情報が管理記憶部２３に格納されている複数種類の招待客ＩＤ番号２３ｂ（具体的には、記憶部１３に転記された複数種類の招待客ＩＤ番号２３ｂ）のいずれかと一致するか否かを照合する。
【００４２】
照合部２７は、その照合結果が一致を示すとともにその後の一定時間以内に前記読取部がさらにあらたな識別情報を読み取った場合にはそのさらにあらたな識別情報が複数種類の招待客ＩＤ番号２３ｂのいずれかと一致するか否かを照合する。
【００４３】
また、管理記憶部２３が、複数種類の接客者ＩＤ番号２３ａを格納している場合、照合部２７は、以下のように動作する。
【００４４】
照合部２７は、カード入力部１０が読み取った識別情報が管理記憶部２３に格納されている複数種類の接客者ＩＤ番号２３ａのいずれかと一致するか否かを照合する。
【００４５】
照合部２７は、カード入力部１０が読み取った識別情報が複数種類の接客者ＩＤ番号２３ａのいずれかと一致するとともにその後の一定時間以内にカード入力部１０があらたな識別情報を読み取った場合にはそのあらたな識別情報が管理記憶部２３に格納されている招待客ＩＤ番号２３ｂ（具体的には、記憶部１３に転記された招待客ＩＤ番号２３ｂ）と一致するか否かを照合する。
【００４６】
照合部２７は、その後、カード入力部１０がさらにあらたな識別情報を読み取ると、そのさらにあらたな識別情報とその複数種類の接客者ＩＤ番号２３ａのいずれかとが一致するか否かを再照合する。電気錠１１は、その再照合時に、カード入力部１０がさらにあらたに読み取った識別情報が複数種類の接客者ＩＤ番号２３ａのいずれかと一致すると、一旦開錠し、その後、施錠する。
【００４７】
また、照合部２７は、以下のように動作してもよい。
【００４８】
照合部２７は、カード入力部１０が読み取った識別情報と管理記憶部２３が格納する接客者ＩＤ番号２３ａとを照合する。
【００４９】
照合部２７は、その照合結果が一致を示すとともにその後の一定時間以内にカード入力部１０があらたな識別情報を読み取った場合、そのあらたな識別情報と管理記憶部２３が格納する招待客ＩＤ番号２３ｂ（具体的には、記憶部１３に転記された招待客ＩＤ番号２３ｂ）とを照合する。
【００５０】
照合部２７は、その後、カード入力部１０がさらにあらたに読み取った識別情報が、管理記憶部２３が格納する接客者ＩＤ番号２３ａ（具体的には、記憶部１３に転記された接客者ＩＤ番号２３ａ）と一致するか否かを再照合する。電気錠１１は、その再照合時に、カード入力部１０が読み取った識別情報が複数種類の接客者ＩＤ番号２３ａのいずれかと一致すると、一旦開錠し、その後、施錠する。
【００５１】
次に、動作の概要を説明する。
【００５２】
招待客を厳重に管理されている部屋へ入室させる場合に、入場管理システムは、事前に招待客へ、招待客認証用のカード２５を発行する。
【００５３】
入場管理システムは、接客者専用のカード２６を用いた照合後の一定時間の間に招待客が持つカード２５から識別情報を受け付けた場合にのみ、カード２５の識別情報の照合を行う。
【００５４】
入場管理システムは、その照合結果に基づいて招待客を認証すると、招待客が厳重に管理されている部屋へ入室することを許容する。
【００５５】
したがって、接客者専用のカード２６を用いた照合後から一定時間が経過した場合、および、カード２５のみの入力操作では、厳重に管理されている部屋への入室は禁止される。
【００５６】
次に、動作を説明する。
【００５７】
図３は、入場管理システムの動作を説明するためのシーケンス図である。以下、図３を参照して入場管理システムの動作を説明する。なお、図３は、招待客が１名、接客者が１名である例（実施例１）の動作の一例を示す。また、以下に示す実施例では、管理記憶部２３は、招待客および接客者に関する情報を格納しているものとする（図２参照）。
【００５８】
ステップＳ３０１では、接客者が招待客を入退室制御部１が設置されている部屋に入室させる際に、接客者は、カード２６に記録されている接客者ＩＤ番号をカード入力部１０に読み取らせる。カード入力部１０は、その接客者ＩＤ番号を読み取ると、ステップＳ３０２を実行する。
【００５９】
ステップＳ３０２では、カード入力部１０は、その読み取った接客者ＩＤ番号を制御部１５に出力する。制御部１５は、その接客者ＩＤ番号を受け付けると、ステップＳ３０３を実行する。
【００６０】
ステップＳ３０３では、制御部１５は、その受け付けた接客者ＩＤ番号を、ＬＡＮインターフェース１６を介して、管理サーバ２２へ送信する。本実施例では、ステップＳ３０３では、制御部１５は、接客者ＩＤ番号を受け付けた日時を示す日時情報を時刻／タイマー１２から取得し、その日時情報と、予め制御部１５に設定されている入室部屋番号とを、その接客者ＩＤ番号とともに、管理サーバ２２へ送信する。
【００６１】
管理サーバ２２は、制御部１５から、接客者ＩＤ番号と日時情報と入室部屋番号とを受け付けると、ステップＳ３０４を実行する。
【００６２】
ステップＳ３０４では、管理サーバ２２は、制御部１５から受け付けた情報と管理記憶部２３が格納している情報とを照合する。管理サーバ２２は、ステップＳ３０４を終了すると、ステップＳ３０５を実行する。
【００６３】
ステップＳ３０５では、管理サーバ２２は、その照合結果に応じた回答を制御部１５に通知する。
【００６４】
図４は、ステップＳ３０４およびステップＳ３０５の一例を説明するためのフローチャートである。
【００６５】
以下、図４を参照してステップＳ３０４およびステップＳ３０５の一例を説明する。なお、図４において、ステップＳ４１、ステップＳ４２、ステップＳ４４、ステップＳ４５およびステップＳ４６がステップＳ３０４に対応し、ステップＳ４３およびステップＳ４７がステップＳ３０５に対応する。
【００６６】
ステップＳ４１では、管理サーバ２２は、制御部１５から情報を受け付けると、ステップＳ４２を実行する。
【００６７】
ステップＳ４２では、管理サーバ２２は、制御部１５から受け付けた接客者ＩＤ番号が管理記憶部２３に格納されているか否かを判断する（図２参照）。換言すると、管理サーバ２２は、カード入力部１０が受け付けたカード２６が管理記憶部２３に登録されているか否かを判断する。
【００６８】
管理サーバ２２は、制御部１５から受け付けた接客者ＩＤ番号が管理記憶部２３に格納されていないと、ステップＳ４３を実行し、一方、制御部１５から受け付けた接客者ＩＤ番号が管理記憶部２３に格納されていると、ステップＳ４４を実行する。
【００６９】
ステップＳ４３では、管理サーバ２２は、不正アクセス情報を制御部１５へ送信する。制御部１５は、不正アクセス情報を受け付けると、不正であることを示す表示または音声を表示・音声出力部１４から出力する。
【００７０】
一方、ステップＳ４４では、管理サーバ２２は、制御部１５から受け付けた接客者ＩＤ番号と関連づけられた招待客ＩＤ番号２３ｂが管理記憶部２３に格納されているか否かを判断する（図２参照）。
【００７１】
管理サーバ２２は、制御部１５から受け付けた接客者ＩＤ番号と関連づけられた招待客ＩＤ番号２３ｂが管理記憶部２３に格納されていると、ステップＳ４５を実行し、一方、その接客者ＩＤ番号と関連づけられた招待客ＩＤ番号２３ｂが格納されていないと、動作を終了する。
【００７２】
ステップＳ４５では、管理サーバ２２は、制御部１５から受け付けた日時情報が示す日時が、制御部１５から受け付けた接客者ＩＤ番号と関連づけられた招待日時２３ｄと一致しているか否かを判断する（図２参照）。換言すると、管理サーバ２２は、現在の日時が招待日時であるか否かを判断する。
【００７３】
なお、管理サーバ２２がカレンダー機能を有している場合、管理サーバ２２は、そのカレンダー機能から得られる日時が、制御部１５から受け付けた接客者ＩＤ番号と関連づけられた招待日時２３ｄと一致しているか否かを判断してもよい。この場合、制御部１５は、日時情報を管理サーバ２２に送信しなくてよい。
【００７４】
管理サーバ２２は、現在の日時が招待日時であると、ステップＳ４６を実行し、一方、現在の日時が招待日時でないと、ステップＳ４３を実行する。
【００７５】
ステップＳ４６では、管理サーバ２２は、制御部１５から受け付けた入室部屋番号が、制御部１５から受け付けた接客者ＩＤ番号と関連づけられた入室部屋番号２３ｅと一致しているか否かを判断する（図２参照）。
【００７６】
管理サーバ２２は、制御部１５から受け付けた入室部屋番号が、制御部１５から受け付けた接客者ＩＤ番号と関連づけられた入室部屋番号２３ｅと一致していると、ステップＳ４７を実行し、一方、制御部１５から受け付けた入室部屋番号が、制御部１５から受け付けた接客者ＩＤ番号と関連づけられた入室部屋番号２３ｅと一致していないと、ステップＳ４３を実行する。
【００７７】
ステップＳ４７では、管理サーバ２２は、制御部１５から受け付けた接客者ＩＤ番号と関連づけられた招待客ＩＤ番号２３ｂを管理記憶部２３から読み取り、その読み取った招待客ＩＤ番号２３ｂを制御部１５に送信する。
【００７８】
なお、ステップＳ４７では、管理サーバ２２は、制御部１５から受け付けた接客者ＩＤ番号２３ａと関連づけられた招待客名２３ｃを管理記憶部２３から読み取り、その読み取った招待客名２３ｃを招待客ＩＤ番号２３ｂとともに制御部１５に送信してもよい。
【００７９】
なお、ステップＳ４４とステップＳ４５とステップＳ４６の順序は、適宜変更可能である。
【００８０】
図３に戻って、制御部１５は、管理サーバ２２から回答を受け付けると、ステップＳ３０６を実行する。
【００８１】
ステップＳ３０６では、制御部１５は、管理サーバ２２から招待客ＩＤ番号２３ｂを受け付けると、その招待客ＩＤ番号２３ｂを記憶部１３に一時的に格納する。このとき、制御部１５が、招待客ＩＤ番号２３ｂとともに招待客名２３ｃを受け付けると、その招待客名２３ｃを表示・音声出力部１４から出力する。続いて、制御部１５は、接客者の入室を促す表示または音声を表示・音声出力部１４から出力する。
【００８２】
制御部１５は、ステップＳ３０６を終了すると、ステップＳ３０７を実行する。
【００８３】
ステップＳ３０７では、制御部１５は、電気錠１１に開錠指示を送信する。電気錠１１は、その開錠指示を受け付けると開錠する。
【００８４】
ステップＳ３０８では、電気錠１１が開錠すると、接客者は、表示・音声出力部１４の出力に促されて、入室する。
【００８５】
接客者は入室すると、施錠スイッチ（不図示）を操作して電気錠１１を閉錠する。なお、接客者の入室を検出するセンサが設けられていれば、電気錠１１は、そのセンサの入室検出に応じて閉錠する。電気錠１１は閉錠すると、ステップＳ３０９を実行する。
【００８６】
ステップＳ３０９では、電気錠１１は閉錠信号を制御部１５に出力する。制御部１５は、その閉錠信号を受け付けると、ステップＳ３１０を実行する。
【００８７】
ステップＳ３１０では、制御部１５は、招待客がカード２５をカード入力部１０に読み取らせさらに招待客が入室することを促す表示または音声を表示・音声出力部１４から出力する。さらに、制御部１５は、時刻／タイマー１２に一定時間（例えば、１５秒）を計時させる。
【００８８】
ステップＳ３１１では、招待客が表示・音声出力部１４の出力に促されて、カード２５をカード入力部１０に読み取らせる。カード入力部１０は、カード２５から招待客ＩＤ番号を読み取ると、ステップＳ３１２を実行する。
【００８９】
ステップＳ３１２では、カード入力部１０は、その読み取った招待客ＩＤ番号を制御部１５に出力する。制御部１５は、その招待客ＩＤ番号を受け付けると、ステップＳ３１３を実行する。
【００９０】
ステップＳ３１３では、制御部１５は、時刻／タイマー１２が一定時間を計時していなければ、その受け付けた招待客ＩＤ番号と記憶部１３に記憶されている招待客ＩＤ番号とを照合する。
【００９１】
なお、ステップＳ３１３で、制御部１５は、招待客ＩＤ番号を受け付けないまま、時刻／タイマー１２が既に一定時間を計時した場合、入場処理（照合処理）を終了し、電気錠１１を施錠する。
【００９２】
なお、ステップＳ３１３では、招待客ＩＤ番号が受け付けられた時点では時刻／タイマー１２が一定時間を計時しておらず、その受け付けた招待客ＩＤ番号が記憶部１３に記憶されている招待客ＩＤ番号と一致したとする。制御部１５は、ステップＳ３１３を終了すると、ステップＳ３１４を実行する。
【００９３】
ステップＳ３１４では、制御部１５は、電気錠１１に開錠指示を送信する。電気錠１１は、その開錠指示を受け付けると開錠する。
【００９４】
ステップＳ３１５では、電気錠１１が開錠すると、招待客は、表示・音声出力部１４の出力に促されて、入室する。
【００９５】
招待客は入室すると、施錠スイッチ（不図示）を操作して電気錠１１を閉錠する。なお、招待客の入室を検出するセンサが設けられていれば、電気錠１１は、そのセンサの入室検出に応じて閉錠する。電気錠１１は閉錠すると、ステップＳ３１６を実行する。
【００９６】
ステップＳ３１６では、電気錠１１は閉錠信号を制御部１５に出力する。制御部１５は、その閉錠信号を受け付けると、ステップＳ３１７を実行する。
【００９７】
ステップＳ３１７では、制御部１５は記憶部１３が格納している招待客ＩＤ番号に対応するすべてのカード２５を認証したか判断し、その認証が済んだと判断すると、入室終了情報を記憶部１３に格納するとともに、記憶部１３に格納されている情報を管理サーバ２２へ送信する。ステップＳ３１７が終了すると、制御部１５は、入室処理を終了し、電気錠１１を施錠する。
【００９８】
なお、招待客ＩＤ番号が受け付けられないまま、時刻／タイマー１２が一定時間を計時すると、制御部１５は、入室不可の通知を表示または音声で表示・音声出力部１４に出力するとともに、管理サーバ２２へ不正アクセス情報を送る。
【００９９】
また、時刻／タイマー１２が一定時間を計時した後に、カード入力部１０がカード２５から招待客ＩＤ番号を読み取っても、制御部１５は、その招待客ＩＤ番号を照合せず、電気錠１１を開錠しない（ステップＳ３１８、Ｓ３１９、Ｓ３２０）。また、この場合も、制御部１５は、入室不可の通知を表示または音声で表示・音声出力部１４に出力するとともに、管理サーバ２２へ不正アクセス情報を送る（ステップＳ３２１、Ｓ３２２）。
【０１００】
また、カード２６が認証されていない状況でカード２５が読み取られても、記憶部１３は招待客ＩＤ番号２３ｂを格納していないため、制御部１５は、その読み取りを不正使用として扱い、不正アクセス情報を管理サーバ２２へ送る。
【０１０１】
本実施例では、カード入力部１０が読み取った識別情報が管理記憶部２３に格納されている接客者ＩＤ番号と一致するとともにその後の一定時間以内にカード入力部１０があらたなに識別情報を読み取ると、そのあらたな識別情報と管理記憶部２３（記憶部１３）が格納している招待客ＩＤ番号とが照合され、その照合結果が一致を示す場合、特定領域への入場が許容される。
【０１０２】
このため、例えば、招待客ＩＤ番号を記録したカード２５を使用するユーザは、接客者ＩＤ番号を記録したカード２６を使用するユーザとともに行動しないと、特定領域へ入場することができなくなる。また、招待客ＩＤ番号を用いた照合が行われる。このため、特定領域への入場を高い精度で管理することが可能になる。
【０１０３】
また、管理サーバ２２は、ステップＳ３０５で実行する回答通知の時刻、および、ステップＳ３１７で制御部１５が送信した入室データの受信時刻を、管理記憶部２３に格納すれば、特定領域への入退室の履歴を管理することもできる。
【０１０４】
次に、入場時間を制限して、特定領域への入場をさらに厳重に管理する実施例（実施例２）を説明する。なお、この実施例の構成は、図１に示したものと同様である。
【０１０５】
図５は、実施例２の動作を説明するためのフローチャートである。なお、図５において、図３の処理と同一の処理には同一符号を付してある。以下では、図３の処理と異なる処理を中心に説明する。
【０１０６】
制御部１５は、ステップＳ３０６を終了すると、ステップＳ５０１を実行する。
【０１０７】
ステップＳ５０１では、制御部１５は、所定時間（例えば、１２秒）以内に接客者が特定領域へ入場することを促す表示または音声を表示・音声出力部１４から出力する。制御部１５は、ステップＳ５０１を終了すると、ステップＳ３０７を実行し、続いて、ステップＳ５０２を実行する。
【０１０８】
ステップＳ５０２では、制御部１５は、時刻／タイマー１２に所定時間（例えば、１２秒）を計時させる。
【０１０９】
制御部１５は、時刻／タイマー１２が所定時間を計時する前に、電気錠１１から閉錠信号を受け付けると、ステップＳ５０３を実行し、一方、電気錠１１から閉錠信号を受け付けないまま時刻／タイマー１２が所定時間を計時すると、電気錠１１を施錠して、接客者の入室を禁止する。
【０１１０】
ステップＳ５０３では、制御部１５は、招待客がカード２５をカード入力部１０に読み取らせさらに招待客が入室することを促す表示または音声を表示・音声出力部１４から出力する。その後、制御部１５は、ステップＳ３１０を実行して、時刻／タイマー１２に一定時間（例えば、１５秒）を計時させる。
【０１１１】
また、制御部１５は、ステップＳ３１３を終了すると、ステップＳ５０４を実行する。
【０１１２】
ステップＳ５０４では、制御部１５は、所定時間（例えば、１２秒）以内に招待客が特定領域へ入場することを促す表示または音声を表示・音声出力部１４から出力する。制御部１５は、ステップＳ５０４を終了すると、ステップＳ３１４を実行し、続いて、ステップＳ５０５を実行する。
【０１１３】
ステップＳ５０５では、制御部１５は、時刻／タイマー１２に所定時間（例えば、１２秒）を計時させる。
【０１１４】
制御部１５は、電気錠１１から閉錠信号を受け付けないまま時刻／タイマー１２が所定時間を計時すると、電気錠１１を施錠して、招待客の入室を禁止する。
【０１１５】
本実施例（実施例２）では、入場時間が制限される。このため、特定領域への入場をさらに厳重に管理することが可能になる。
【０１１６】
次に、複数の招待客が存在する場合の実施例（実施例３）を説明する。なお、この実施例の構成は、基本的に図１に示したものと同様であるが、カード２５が複数発行され、また、管理記憶部２３は、その複数の招待客の招待客ＩＤ番号を接客者ＩＤ番号に関連づけて格納する。
【０１１７】
図６は、実施例３の動作を説明するためのフローチャートである。なお、図６において、図３の処理と同一の処理には同一符号を付してある。以下では、図３の処理と異なる処理を中心に説明する。
【０１１８】
ステップＳ３１１では、複数の招待客の１人が自らに配布されたカード２５ａをカード入力部１０に読み取らせる。カード入力部１０は、カード２５ａから招待客ＩＤ番号を読み取ると、ステップＳ３１２を実行する。
【０１１９】
また、制御部１５は、電気錠１１がステップＳ３１６にて出力した閉錠信号を受け付けると、ステップＳ６０１を実行する。
【０１２０】
ステップ６０１では、制御部１５は記憶部１３が格納している招待客ＩＤ番号に対応するすべてのカード２５を認証したか否かを判断し、すべてのカード２５を認証していないと判断すると、時刻／タイマー１２に再度一定時間（例えば、１５秒）を計時させる。
【０１２１】
ステップＳ６０２では、他の招待客が自らに配布されたカード２５ｂをカード入力部１０に読み取らせる。カード入力部１０は、カード２５ｂから招待客ＩＤ番号を読み取ると、ステップＳ６０３を実行する。なお、ステップＳ６０３は、ステップＳ３１２と同様の処理である。
【０１２２】
制御部１５は、カード入力部１０がステップＳ６０３で出力した招待客ＩＤ番号を受け付けると、ステップＳ６０４とステップＳ６０５を実行する。なお、ステップＳ６０４は、ステップＳ３１３と同様の処理であり、ステップＳ６０５は、ステップＳ３１４と同様の処理である。
【０１２３】
ステップＳ６０６では、電気錠１１が開錠すると、他の招待客は入室し、施錠スイッチ（不図示）を操作して電気錠１１を閉錠する。なお、招待客の入室を検出するセンサが設けられていれば、電気錠１１は、そのセンサの入室検出に応じて閉錠する。電気錠１１は閉錠すると、ステップＳ６０７を実行する。なお、ステップＳ６０７は、ステップＳ３１６と同様の処理である。
【０１２４】
以下、制御部１５は記憶部１３が格納している招待客ＩＤ番号に対応するすべてのカード２５を認証したか否かを判断する。
【０１２５】
記憶部１３が格納している招待客ＩＤ番号に対応するすべてのカード２５が認証されると、制御部１５は、入室終了情報を記憶部１３に格納するとともに、記憶部１３に格納されている情報を管理サーバ２２へ送信し、入室処理を終了する。
【０１２６】
一方、記憶部１３が格納している招待客ＩＤ番号に対応するすべてのカード２５が認証されていないと、制御部１５は、ステップＳ６０１を実行する。
【０１２７】
なお、制御部１５は、招待客のカード２５の入力がないまま、時刻／タイマー１２が一定時間のカウントを終了すると、タイマー終了時点で入室処理を終了し、電気錠１１を施錠し、入室終了情報を記憶部１３に格納するとともに、記憶部１３に格納されている情報を管理サーバ２２へ送信する。
【０１２８】
また、招客者であっても、時刻／タイマー１２が一定時間をカウントしている間に招客者が入室処理を行わないと、制御部１５は、その招客者の入室を禁止する。また、招客者であっても、時刻／タイマー１２が一定時間をカウントしていない間にその招待客が入室処理を行うと、制御部１５は、その入室処理を入室不正と判断し、管理サーバ２２へ不正情報を送信する。
【０１２９】
本実施例（実施例３）では、管理記憶部２３は、招待客ＩＤ番号を複数種類格納する。
【０１３０】
また、照合部２７は、カード入力部１０が読み取った識別情報と接客者ＩＤ番号２３ａとの照合結果が一致を示すとともにその後の一定時間以内にカード入力部１０があらたな識別情報を読み取った場合にはそのあらたな識別情報が管理記憶部２３に格納されている複数種類の招待客ＩＤ番号２３ｂ（具体的には、記憶部１３に転記された複数種類の招待客ＩＤ番号２３ｂ）のいずれかと一致するか否かを照合する。
【０１３１】
照合部２７は、その照合結果が一致を示すとともにその後の一定時間以内に前記読取部がさらにあらたな識別情報を読み取った場合にはそのさらにあらたな識別情報が複数種類の招待客ＩＤ番号２３ｂのいずれかと一致するか否かを照合する。
【０１３２】
このため、例えば、招待客ＩＤ番号を記録したカード２５を使用するユーザが複数存在しても、それらのユーザの特定領域への入場を高い精度で管理することが可能になる。
【０１３３】
次に、接客者より先に招待客が入室する実施例（実施例４）を説明する。なお、この実施例の構成は、基本的に図１に示したものと同様である。
【０１３４】
図７は、実施例４の動作を説明するためのフローチャートである。なお、図７において、図３の処理と同一の処理には同一符号を付してある。以下では、図３の処理と異なる処理を中心に説明する。
【０１３５】
ステップＳ３０５では、管理サーバ２２は、招待客ＩＤ番号２３ｂと、その招待客ＩＤ番号２３ｂに関連づけられている接客者ＩＤ番号とを、制御部１５に出力する。
【０１３６】
制御部１５は、管理サーバ２２から招待客ＩＤ番号２３ｂおよび接客者ＩＤ番号を受け付けると、ステップＳ７０１を実行する。
【０１３７】
ステップＳ７０１では、制御部１５は、その招待客ＩＤ番号２３ｂおよび接客者ＩＤ番号を記憶部１３に一時的に格納する。このとき、制御部１５が、招待客ＩＤ番号２３ｂとともに招待客名２３ｃを受け付けると、その招待客名２３ｃを表示・音声出力部１４から出力する。続いて、制御部１５は、時刻／タイマー１２に一定時間（例えば、１５秒）を計時させる。
【０１３８】
以下、ステップＳ３１１からステップＳ３１６が実行される。
【０１３９】
ステップＳ３１６が実行された後、ステップＳ７０２では、接客者がカード２６をカード入力部１０に読み取らせる。カード入力部１０は、カード２６から接客者ＩＤ番号を読み取ると、ステップＳ７０３を実行する。
【０１４０】
ステップＳ７０３では、カード入力部１０は、その接客者ＩＤ番号を制御部１５に出力する。
【０１４１】
制御部１５は、カード入力部１０からステップＳ７０３で出力された接客者ＩＤ番号を受け付けると、その接客者ＩＤ番号と記憶部１３に格納されている接客者ＩＤ番号とを照合する。
【０１４２】
制御部１５は、その照合結果が一致を示す場合にのみ、ステップＳ３０７を実行する。これ以降、ステップＳ３０８、ステップＳ３０９およびステップＳ３１７が実行される。
【０１４３】
本実施例（実施例４）では、照合部２７は、カード入力部１０が読み取った識別情報と管理記憶部２３が格納する接客者ＩＤ番号２３ａとを照合する。
【０１４４】
照合部２７は、その照合結果が一致を示すとともにその後の一定時間以内にカード入力部１０があらたな識別情報を読み取った場合、そのあらたな識別情報と管理記憶部２３が格納する招待客ＩＤ番号２３ｂ（具体的には、記憶部１３に転記された招待客ＩＤ番号２３ｂ）とを照合する。
【０１４５】
照合部２７は、その後、カード入力部１０がさらにあらたに読み取った識別情報が、管理記憶部２３が格納する接客者ＩＤ番号２３ａ（具体的には、記憶部１３に転記された接客者ＩＤ番号２３ａ）と一致するか否かを再照合する。電気錠１１は、その再照合時に、カード入力部１０が読み取った識別情報が複数種類の接客者ＩＤ番号２３ａのいずれかと一致すると、一旦開錠し、その後、施錠する。
【０１４６】
このため、接客者ＩＤ番号を記録したカード２６を使用する接客者が１人であっても、その１人の接客者が、招待客ＩＤ番号を記録したカード２５を使用する招待客の特定領域への入場を高い精度で管理することが可能になる。
【０１４７】
次に、接客者が２人の場合の実施例（実施例５）を説明する。なお、この実施例の構成は、基本的に図１に示したものと同様であるが、カード２６が複数用いられ、また、管理記憶部２３は、その複数の接客者の接客者ＩＤ番号を互いに関連づけて格納する。
【０１４８】
図８は、実施例５の動作を説明するためのフローチャートである。なお、図８において、図３の処理と同一の処理には同一符号を付してある。以下では、図３の処理と異なる処理を中心に説明する。
【０１４９】
ステップＳ８０１では、複数の接客者の１人が自らに配布されたカード２６ａをカード入力部１０に読み取らせる。カード入力部１０は、カード２６ａから接客者ＩＤ番号を読み取ると、ステップＳ３０２を実行する。
【０１５０】
また、ステップＳ３０５では、管理サーバ２２は、招待客ＩＤ番号２３ｂと、その招待客ＩＤ番号２３ｂに関連づけられている他の接客者ＩＤ番号２３ａとを制御部１５に出力する。
【０１５１】
制御部１５は、管理サーバ２２から招待客ＩＤ番号２３ｂおよび他の接客者ＩＤ番号２３ａを受け付けると、ステップＳ８０２を実行する。
【０１５２】
ステップＳ８０２では、制御部１５は、その招待客ＩＤ番号２３ｂおよび他の接客者ＩＤ番号２３ａを記憶部１３に一時的に格納する。制御部１５は、ステップＳ８０２を終了すると、ステップＳ３０７を実行して電気錠１１を開錠する。
【０１５３】
ステップＳ８０３では、カード２６ａを持つ接客者は、特定領域に入室する。カード２６ａを持つ接客者は入室すると、施錠スイッチ（不図示）を操作して電気錠１１を閉錠する。なお、接客者の入室を検出するセンサが設けられていれば、電気錠１１は、そのセンサの入室検出に応じて閉錠する。電気錠１１は閉錠すると、ステップＳ３０９を実行する。
【０１５４】
以下、ステップＳ３１０からステップＳ３１６が実行される。
【０１５５】
制御部１５は、電気錠１１からステップＳ３１６で出力された閉錠信号を受け付けると、ステップＳ８０４を実行する。なお、ステップＳ８０４は、ステップＳ３１０と同様である。
【０１５６】
ステップＳ８０４が実行された後、ステップＳ８０５では、他の接客者がカード２６ｂをカード入力部１０に読み取らせる。カード入力部１０は、カード２６ｂから接客者ＩＤ番号を読み取ると、ステップＳ８０６を実行する。
【０１５７】
ステップＳ８０６では、カード入力部１０は、その接客者ＩＤ番号を制御部１５に出力する。制御部１５は、その接客者ＩＤ番号を受け付けると、ステップＳ８０７を実行する。
【０１５８】
ステップＳ８０７では、制御部１５は、その受け付けた接客者ＩＤ番号と記憶部１３に格納されている他の接客者ＩＤ番号２３ａとを照合する。
【０１５９】
制御部１５は、その照合結果が一致を示す場合にのみ、ステップＳ８０８を実行する。なお、ステップＳ８０８は、ステップＳ３０７と同様の処理である。
【０１６０】
ステップＳ８０９では、カード２６ｂを持つ接客者は、特定領域に入室する。カード２６ｂを持つ接客者は入室すると、施錠スイッチ（不図示）を操作して電気錠１１を閉錠する。なお、接客者の入室を検出するセンサが設けられていれば、電気錠１１は、そのセンサの入室検出に応じて閉錠する。電気錠１１は閉錠すると、ステップＳ８１０を実行する。なお、ステップＳ８１０は、ステップＳ３０９と同様の処理である。
【０１６１】
制御部１５は、電子錠１１からステップＳ８１０で出力された閉錠信号を受け付けると、ステップＳ３１７を実行する。
【０１６２】
本実施例（実施例５）では、管理記憶部２３は、複数種類の接客者ＩＤ番号を格納する。
照合部２７は、カード入力部１０が読み取った識別情報が管理記憶部２３に格納されている複数種類の接客者ＩＤ番号２３ａのいずれかと一致するか否かを照合する。
【０１６３】
照合部２７は、カード入力部１０が読み取った識別情報が複数種類の接客者ＩＤ番号２３ａのいずれかと一致するとともにその後の一定時間以内にカード入力部１０があらたな識別情報を読み取った場合にはそのあらたな識別情報が管理記憶部２３に格納されている招待客ＩＤ番号２３ｂ（具体的には、記憶部１３に転記された招待客ＩＤ番号２３ｂ）と一致するか否かを照合する。
【０１６４】
照合部２７は、その後、カード入力部１０がさらにあらたな識別情報を読み取ると、そのさらにあらたな識別情報とその複数種類の接客者ＩＤ番号２３ａのいずれかとが一致するか否かを再照合する。
【０１６５】
電気錠１１は、その再照合時に、カード入力部１０がさらにあらたに読み取った識別情報が複数種類の接客者ＩＤ番号２３ａのいずれかと一致すると、一旦開錠し、その後、施錠する。
【０１６６】
このため、接客者ＩＤ番号を記録したカード２６を使用する複数のユーザが、招待客ＩＤ番号を記録したカード２５を使用するユーザの特定領域への入場を高い精度で管理することが可能になる。
【０１６７】
以上説明した上記各実施例によれば、接客者のカード２６を認証した後に、招待客専用のカード２５が使用可能になる。このため、招待客は、接客者と同行しなければ、特定領域（例えば、重要な施設または重要な部屋）へ入場できなくなる。したがって、特定領域への入場を厳重にすることが可能になる。また、接客者による人数管理や、招待客の管理が容易となる。
【０１６８】
以上説明した各実施例において、図示した構成は単なる一例であって、本発明はその構成に限定されるものではない。
【図面の簡単な説明】
【０１６９】
【図１】本発明の一実施例の入場管理システムを示したブロック図である。
【図２】管理記憶部２３の一例を示した説明図である。
【図３】入場管理システムの動作（実施例１）を説明するためのシーケンス図である。
【図４】管理サーバの動作の一例を説明するためのシーケンス図である。
【図５】入場管理システムの動作（実施例２）を説明するためのシーケンス図である。
【図６】入場管理システムの動作（実施例３）を説明するためのシーケンス図である。
【図７】入場管理システムの動作（実施例４）を説明するためのシーケンス図である。
【図８】入場管理システムの動作（実施例５）を説明するためのシーケンス図である。
【符号の説明】
【０１７０】
１      入退室制御部
１１    電気錠
１２    時刻／タイマー
１３    記憶部
１４    表示・音声出力部
１５    制御部
１６    ＬＡＮインターフェース
２１    入力部
２２    管理サーバ
２３    管理記憶部
２４    カードインターフェース
２５    カード
２６    カード
【図１】
2006155507.tif 000003
【図２】
2006155507.tif 000004
【図３】
2006155507.tif 000005
【図４】
2006155507.tif 000006
【図５】
2006155507.tif 000007
【図６】
2006155507.tif 000008
【図７】
2006155507.tif 000009
【図８】
2006155507.tif 000010